(57)【要約】【課題】対象物が曝され始めてからの経過時間を精度良く推定することができる読取処理装置を提供すること。【解決手段】読取処理装置は、２つ以上の色表示部が設けられた表示デバイスが撮像された撮像画像を取得する取得部と、取得部により取得された撮像画像に基づいて、表示デバイスが予め決められた環境温度の環境に暴露され始めてからの経過時間を推定する推定部と、を備え、２つ以上の色表示部それぞれの色は、予め決められた波長帯の光が照射された場合、周囲の温度に応じて互いに異なる退色速度によって時間の経過とともに退色する。【選択図】図４
2019207179.tif 000002
【特許請求の範囲】
【請求項１】
２つ以上の色表示部が設けられた表示デバイスが撮像された撮像画像を取得する取得部と、
前記取得部により取得された前記撮像画像に基づいて、前記表示デバイスが予め決められた環境温度の環境に暴露され始めてからの経過時間を推定する推定部と、
を備え、
前記２つ以上の前記色表示部それぞれの色は、予め決められた波長帯の光が照射された場合、周囲の温度に応じて互いに異なる退色速度によって時間の経過とともに退色する、
読取処理装置。
【請求項２】
前記推定部は、前記取得部により取得された前記撮像画像に基づいて、前記表示デバイスが前記環境に暴露され始めてからの経過時間とともに、前記環境温度を推定する、
請求項１に記載の読取処理装置。
【請求項３】
前記２つ以上の色表示部には、第１色表示部と、前記第１色表示部と異なる第２色表示部とが含まれており、
前記取得部により取得された前記撮像画像に基づいて、前記第１色表示部の色に基づく値を第１値として算出するとともに、前記第２色表示部の色に基づく値を第２値として算出する算出部を更に備え、
前記推定部は、前記算出部により算出された前記第１値及び前記第２値に基づいて、前記経過時間及び前記環境温度を推定する、
請求項２に記載の読取処理装置。
【請求項４】
前記算出部は、前記取得部により取得された前記撮像画像に基づいて、前記第１色表示部の色の退色率を前記第１値として算出するとともに、前記第２色表示部の色の退色率を前記第２値として算出する、
請求項３に記載の読取処理装置。
【請求項５】
前記算出部は、前記取得部により取得された前記撮像画像に基づいて、前記第１色表示部の色と基準色との間の色差を第１色差として算出し、前記第２色表示部の色と前記基準色との間の色差を第２色差として算出し、算出した第１色差に基づいて前記第１色表示部の色の退色率として算出し、算出した前記第２色差に基づいて前記第２色表示部の色の退色率として算出する、
請求項４に記載の読取処理装置。
【請求項６】
前記基準色を示す基準色情報を記憶する記憶部を更に備え、
前記算出部は、前記記憶部から前記基準色情報を読み出し、読み出した前記基準色情報に基づいて、前記第１色表示部の色の退色率と前記第２色表示部の色の退色率とを算出する、
請求項５に記載の読取処理装置。
【請求項７】
前記表示デバイスには、前記基準色を表示する基準色表示部が設けられており、
前記算出部は、前記取得部により取得された前記撮像画像に基づいて、前記基準色情報に表示された基準色を検出する、
請求項６に記載の読取処理装置。
【請求項８】
前記推定部は、前記算出部により算出された前記第１値及び前記第２値と、第１対応情報及び第２対応情報とに基づいて、前記経過時間とともに前記環境温度を推定し、
前記第１対応情報は、前記第１値を示す第１値情報と、前記環境温度を示す環境温度情報と、前記経過時間を示す経過時間情報と、前記第１値情報毎に前記環境温度情報と前記経過時間情報とを対応づける情報とを含み、
前記第２対応情報は、前記第２値を示す第２値情報と、前記環境温度を示す環境温度情報と、前記経過時間を示す経過時間情報と、前記第２値情報毎に前記環境温度情報と前記経過時間情報とを対応づける情報とを含む、
請求項３から７のうちいずれか一項に記載の読取処理装置。
【請求項９】
前記第１対応情報は、前記第１値毎に前記環境温度と前記経過時間とを対応づけたテーブルであり、
前記第２対応情報は、前記第２値毎に前記環境温度と前記経過時間とを対応づけたテーブルである、
請求項８に記載の読取処理装置。
【請求項１０】
前記第１対応情報は、前記第１値と前記環境温度と前記経過時間との依存関係を示す関数であり、
前記第２対応情報は、前記第２値と前記環境温度と前記経過時間との依存関係を示す関数である、
請求項８に記載の読取処理装置。
【請求項１１】
２つ以上の色表示部が設けられた表示デバイスが撮像された撮像画像を読取処理装置から取得する取得部と、
前記取得部により取得された前記撮像画像に基づいて、前記表示デバイスが予め決められた環境温度の環境に暴露され始めてからの経過時間を推定する推定部と、
前記推定部により推定された前記経過時間を示す経過時間情報を前記読取処理装置に出力する通信部と、
を備え、
前記２つ以上の前記色表示部それぞれの色は、予め決められた波長帯の光が照射された場合、周囲の温度に応じて互いに異なる退色速度によって時間の経過とともに退色する、
サーバー装置。
【請求項１２】
読取処理装置とサーバー装置とを備える読取処理システムであって、
前記読取処理装置は、
２つ以上の色表示部が設けられた表示デバイスを含む範囲を撮像部に撮像させる撮像制御部と、
前記撮像部により撮像された撮像画像を前記撮像部から取得する第１取得部と、
前記第１取得部により取得された前記撮像画像を前記サーバー装置に出力する通信部と、
を備え、
前記サーバー装置は、
前記読取処理装置から前記撮像画像を取得する第２取得部と、
前記第２取得部により取得された前記撮像画像に基づいて、前記表示デバイスが予め決められた環境温度の環境に暴露され始めてからの経過時間を推定する推定部と、
前記推定部により推定された前記経過時間を示す経過時間情報を前記読取処理装置に出力する通信部と、
を備え、
前記２つ以上の前記色表示部それぞれの色は、予め決められた波長帯の光が照射された場合、周囲の温度に応じて互いに異なる退色速度によって時間の経過とともに退色する、
読取処理システム。
【請求項１３】
２つ以上の色表示部が設けられた表示デバイスが撮像された撮像画像を取得する取得手順と、
前記取得手順により取得した前記撮像画像に基づいて、前記表示デバイスが予め決められた環境温度の環境に暴露され始めてからの経過時間を推定する推定手順と、
を有し、
前記２つ以上の前記色表示部それぞれの色は、予め決められた波長帯の光が照射された場合、周囲の温度に応じて互いに異なる退色速度によって時間の経過とともに退色する、
読取処理装置の制御方法。
【発明の詳細な説明】
【技術分野】
【０００１】
この発明は、読取処理装置、サーバー装置、読取処理システム、及び読取処理装置の制御方法に関する。
【背景技術】
【０００２】
近年、食品及び医薬品等については、一般に製造後又は開封後の経過時間や保存温度環境に注意しなければならないことは経験的によく理解されている。例えば、乳製品は、製造時から時間の経過とともに急速に劣化する。
【０００３】
また、難病の治療効果が期待できる医薬品においても、多くの種類は、本来管理されなければならない保管の仕方や温度環境において初めて機能する。毎年冬の時期に利用される医薬品の代表例であるワクチンは、生物由来製品であり、種類によって保管の仕方が異なり、扱い方で効能が変わる。
今後、温度感受性の高い食品・医薬品の急増が予想されている。製品個々に対する適正な管理は、環境・資源の社会課題を解決するツールとして、多岐にわたり広い用途でますます重要になってきている。
【０００４】
例えば、設備インフラ業界や産業界においては、温度管理が施設等のモニタリング及び製品化工程や品質管理上で重要な管理項目として知られ、温度管理用に電子計測器が用いられている。
食品及び医薬品に対する温度管理用として電子計測器の利用は、バッテリー駆動型の動作原理であり個々の食品や医薬品に対して高コストであること、更に取扱い上の簡便性がないことから本用途に適していない。
他の温度管理用ツールとしては、示温インク材料を利用したサーモラベルがある。サーモラベルは、取扱い上簡便ではあるが温度検知開始機能がなく、材料物性上及び発色原理から可逆性であることで温度検知の対象や利用シーンが限定され、また高精度な温度測定が困難である。
【０００５】
このような市場の要求に基づき、示温インクとは異なる材料物性上の特性を生かし、簡便な温度インジケーター、タグ、ラベル化が可能な、フォトクロミック化合物を含む温度履歴表示材を用いた温度管理技術が提案されている（例えば、特許文献１参照）。
【０００６】
ここで、フォトクロミズムとは、光の作用により単一の化学種が分子量を変えることなく吸収スペクトルの異なる２つの異性体（Ａ，Ｂ）を可逆的に生成する現象である。また、フォトクロミズムは、異性体Ａに特定波長の光を照射すると、結合様式あるいは電子状態に変化が生じ、異性体Ｂに変換し、その結果、紫外・可視吸収スペクトルが変化して色が変わる現象である。
特許文献１に記載の光機能素子は、［１］スイッチ機能を備える、［２］加熱により再生不可能な消色が起こる、［３］着色状態が可視化で安定である、という３つの特徴を有している。特許文献１では、このような特徴を有する光機能素子を、温度履歴表示材として使用することが提案されている。
【０００７】
フォトクロミズムを用いた特許文献１に記載の技術は、外部刺激による色の変化を用いる原理なので、電力消費はゼロ、曝される環境の温度変化を退色特性と経過時間による色の差から温度検知が行われることから温度履歴の表示と記録及びエビデンス性を有する。
また、特許文献１に記載の技術は、小型薄膜なデバイス仕様実現が可能なことから利用する場所や対象を特定することがなく、フレキシビリティ性が見込めることから温度検知対象の大小サイズ等、種類を選ばない。さらに、特許文献１に記載の技術は、小型薄膜なデバイスが実現の際は、ディスポーザル性、低コスト化、簡便性が期待でき、新たな温度インジケーターとして有望である。
【先行技術文献】
【特許文献】
【０００８】
【特許文献１】特開２０１４−１５５５２
【発明の概要】
【発明が解決しようとする課題】
【０００９】
しかしながら、特許文献１に記載の技術では、目視で小型薄膜なデバイス上に設けられた色の変化を測定結果として確認し判定することから、測定精度と繰返し精度が高くない。このため、特許文献１に記載の技術では、対象物が曝された温度の測定精度が悪く、経過時間の判断が適切にできない可能性があった。また、特許文献１に記載の技術ではそもそも、小型薄膜なデバイス上に設けられた色から、経過時間を判定することができなかった。
【００１０】
本発明は、上記の問題点に鑑みてなされたものであって、対象物が曝され始めてからの経過時間を精度良く推定することができる読取処理装置、サーバー装置、読取処理システム、及び読取処理装置の制御方法を提供することを目的とする。
【課題を解決するための手段】
【００１１】
上記目的を達成するため、本発明の一態様に係る読取処理装置は、２つ以上の色表示部が設けられた表示デバイスが撮像された撮像画像を取得する取得部と、前記取得部により取得された前記撮像画像に基づいて、前記表示デバイスが予め決められた環境温度の環境に暴露され始めてからの経過時間を推定する推定部と、を備え、前記２つ以上の前記色表示部それぞれの色は、予め決められた波長帯の光が照射された場合、周囲の温度に応じて互いに異なる退色速度によって時間の経過とともに退色する、読取処理装置である。
【００１２】
また、本発明の一態様に係る読取処理装置において、前記推定部は、前記取得部により取得された前記撮像画像に基づいて、前記表示デバイスが前記環境に暴露され始めてからの経過時間とともに、前記環境温度を推定する、ようにしてもよい。
【００１３】
また、本発明の一態様に係る読取処理装置において、前記２つ以上の色表示部には、第１色表示部と、前記第１色表示部と異なる第２色表示部とが含まれており、前記取得部により取得された前記撮像画像に基づいて、前記第１色表示部の色に基づく値を第１値として算出するとともに、前記第２色表示部の色に基づく値を第２値として算出する算出部を更に備え、前記推定部は、前記算出部により算出された前記第１値及び前記第２値に基づいて、前記経過時間及び前記環境温度を推定する、ようにしてもよい。
【００１４】
また、本発明の一態様に係る読取処理装置において、前記算出部は、前記取得部により取得された前記撮像画像に基づいて、前記第１色表示部の色の退色率を前記第１値として算出するとともに、前記第２色表示部の色の退色率を前記第２値として算出する、ようにしてもよい。
【００１５】
また、本発明の一態様に係る読取処理装置において、前記算出部は、前記取得部により取得された前記撮像画像に基づいて、前記第１色表示部の色と基準色との間の色差を第１色差として算出し、前記第２色表示部の色と前記基準色との間の色差を第２色差として算出し、算出した第１色差に基づいて前記第１色表示部の色の退色率として算出し、算出した前記第２色差に基づいて前記第２色表示部の色の退色率として算出する、ようにしてもよい。
【００１６】
また、本発明の一態様に係る読取処理装置において、前記基準色を示す基準色情報を記憶する記憶部を更に備え、前記算出部は、前記記憶部から前記基準色情報を読み出し、読み出した前記基準色情報に基づいて、前記第１色表示部の色の退色率と前記第２色表示部の色の退色率とを算出する、ようにしてもよい。
【００１７】
また、本発明の一態様に係る読取処理装置において、前記表示デバイスには、前記基準色を表示する基準色表示部が設けられており、前記算出部は、前記取得部により取得された前記撮像画像に基づいて、前記基準色情報に表示された基準色を検出する、ようにしてもよい。
【００１８】
また、本発明の一態様に係る読取処理装置において、前記推定部は、前記算出部により算出された前記第１値及び前記第２値と、第１対応情報及び第２対応情報とに基づいて、前記経過時間とともに前記環境温度を推定し、前記第１対応情報は、前記第１値を示す第１値情報と、前記環境温度を示す環境温度情報と、前記経過時間を示す経過時間情報と、前記第１値情報毎に前記環境温度情報と前記経過時間情報とを対応づける情報とを含み、前記第２対応情報は、前記第２値を示す第２値情報と、前記環境温度を示す環境温度情報と、前記経過時間を示す経過時間情報と、前記第２値情報毎に前記環境温度情報と前記経過時間情報とを対応づける情報とを含む、ようにしてもよい。
【００１９】
また、本発明の一態様に係る読取処理装置において、前記第１対応情報は、前記第１値毎に前記環境温度と前記経過時間とを対応づけたテーブルであり、前記第２対応情報は、前記第２値毎に前記環境温度と前記経過時間とを対応づけたテーブルである、
ようにしてもよい。
【００２０】
また、本発明の一態様に係る読取処理装置において、前記第１対応情報は、前記第１値と前記環境温度と前記経過時間との依存関係を示す関数であり、前記第２対応情報は、前記第２値と前記環境温度と前記経過時間との依存関係を示す関数である、ようにしてもよい。
【００２１】
上記目的を達成するため、本発明の一態様に係るサーバー装置は、２つ以上の色表示部が設けられた表示デバイスが撮像された撮像画像を読取処理装置から取得する取得部と、前記取得部により取得された前記撮像画像に基づいて、前記表示デバイスが予め決められた環境温度の環境に暴露され始めてからの経過時間を推定する推定部と、前記推定部により推定された前記経過時間を示す経過時間情報を前記読取処理装置に出力する通信部と、を備え、前記２つ以上の前記色表示部それぞれの色は、予め決められた波長帯の光が照射された場合、周囲の温度に応じて互いに異なる退色速度によって時間の経過とともに退色する、サーバー装置である。
【００２２】
上記目的を達成するため、本発明の一態様に係る読取処理システムは、読取処理装置とサーバー装置とを備える読取処理システムであって、前記読取処理装置は、２つ以上の色表示部が設けられた表示デバイスを含む範囲を撮像部に撮像させる撮像制御部と、前記撮像部により撮像された撮像画像を前記撮像部から取得する第１取得部と、前記第１取得部により取得された前記撮像画像を前記サーバー装置に出力する通信部と、を備え、前記サーバー装置は、前記読取処理装置から前記撮像画像を取得する第２取得部と、前記第２取得部により取得された前記撮像画像に基づいて、前記表示デバイスが予め決められた環境温度の環境に暴露され始めてからの経過時間を推定する推定部と、前記推定部により推定された前記経過時間を示す経過時間情報を前記読取処理装置に出力する通信部と、を備え、前記２つ以上の前記色表示部それぞれの色は、予め決められた波長帯の光が照射された場合、周囲の温度に応じて互いに異なる退色速度によって時間の経過とともに退色する、読取処理システムである。
【００２３】
上記目的を達成するため、本発明の一態様に係る読取処理装置の制御方法は、２つ以上の色表示部が設けられた表示デバイスが撮像された撮像画像を取得する取得手順と、前記取得手順により取得した前記撮像画像に基づいて、前記表示デバイスが予め決められた環境温度の環境に暴露され始めてからの経過時間を推定する推定手順と、を有し、前記２つ以上の前記色表示部それぞれの色は、予め決められた波長帯の光が照射された場合、周囲の温度に応じて互いに異なる退色速度によって時間の経過とともに退色する、読取処理装置の制御方法である。
【発明の効果】
【００２４】
本発明によれば、対象物が曝され始めてからの経過時間を精度良く推定することができる。
【図面の簡単な説明】
【００２５】
【図１】本実施形態に係る読取処理システム１の構成の一例を示す図である。
【図２】本実施形態に係る第１色表示部２１の色Ｃ１の退色特性の一例を示す図である。
【図３】読取処理装置３０のハードウェア構成の一例を示す図である。
【図４】読取処理装置３０の機能構成の一例を示す図である。
【図５】表示デバイス２０が予め決められた環境温度の環境に暴露され始めてからの経過時間を読取処理装置３０が推定する処理の流れの一例を示す図である。
【図６】第１対応情報の一例を示す図である。
【図７】第２対応情報の一例を示す図である。
【図８】第１組み合わせ及び第２組み合わせのそれぞれに基づいてフィッティングされた２つの関数の交点の一例を示す図である。
【図９】複数の関数によって表された第１対応情報及び第２対応情報それぞれの一例を示す図である。
【図１０】実施形態の変形例２に係る表示デバイス２０の一例を示す図である。
【図１１】実施形態の変形例３に係る読取処理システム１の構成の一例を示す図である。
【発明を実施するための形態】
【００２６】
＜実施形態＞
以下、本発明の実施形態について、図面を参照して説明する。
【００２７】
＜読取処理システムの概要＞
まず、本実施形態における読取処理システムの概要について説明する。
【００２８】
読取処理システムは、表示デバイスと、読取処理装置とを備える。表示デバイスには、２つ以上の色表示部が設けられている。当該２つ以上の前記色表示部それぞれの色は、予め決められた波長帯の光が照射された場合、周囲の温度に応じて互いに異なる退色速度によって時間の経過とともに退色する。読取処理装置は、取得部と、推定部を備える。当該取得部は、表示デバイスが撮像された撮像画像を取得する。推定部は、取得部により取得された撮像画像に基づいて、表示デバイスが予め決められた環境温度の環境に暴露され始めてからの経過時間を推定する。これにより、読取処理システムは、対象物が曝され始めてからの経過時間を精度良く推定することができる。なお、退色速度については、後述する。
【００２９】
以下では、読取処理システムの構成と、表示デバイスが予め決められた環境温度の環境に暴露され始めてからの経過時間を読取処理装置（すなわち、読取処理システム）が推定する処理とのそれぞれについて詳しく説明する。
【００３０】
＜読取処理システムの構成＞
以下、図１を参照し、読取処理システム１の構成について説明する。図１は、本実施形態に係る読取処理システム１の構成の一例を示す図である。なお、読取処理システム１は、上記の読取処理システムの一例である。
【００３１】
図１に示したように、読取処理システム１は、表示デバイス２０と、照明装置ＵＶＬと、撮像装置２５と、読取処理装置３０を備える。なお、読取処理システム１は、照明装置ＵＶＬを備えない構成であってもよい。また、読取処理システム１では、表示デバイス２０と、照明装置ＵＶＬと、撮像装置２５と、読取処理装置３０とのうちの一部又は全部が、一体に構成されてもよい。
【００３２】
表示デバイス２０は、上記の表示デバイスの一例である。表示デバイス２０は、基材シート２０Ａと、基材シート２０Ａの表面に設けられた２つ以上の色表示部とを備える。以下では、一例として、当該表面には、第１色表示部２１と、第２色表示部２２との２つの色表示部が設けられている場合について説明する。すなわち、第１色表示部２１と、第２色表示部２２とのそれぞれは、上記の色表示部の一例である。なお、当該表面には、３つ以上の色表示部が設けられる構成であってもよい。ここで、当該表面は、基材シート２０Ａが有する２つの面のうちの一方の面のことである。
【００３３】
表示デバイス２０は、対象物のパッケージ等に装着される。このため、表示デバイス２０の基材シート２０Ａの形状及び大きさは、対象物となる製品の仕様、大きさ、使用方法等に応じて選択される。対象物は、予め決められた管理を行う対象となる物のことである。予め決められた管理には、温度の管理、時間の管理、温度及び時間の管理等が含まれる。
【００３４】
すなわち、対象物は、例えば、食品、医薬品、細胞、動物、植物等である。なお、対象物は、これらに限られず、予め決められた管理を行う対象となる物であれば如何なる物であってもよい。図１では、対象物についての図示を省略している。
【００３５】
ここで、基材シート２０Ａの裏面には、粘着剤層が備えられている構成であってもよい。これにより、表示デバイス２０は、対象物のパッケージ、対象物の表面等に貼付して使用することができる。基材シート２０Ａの裏面は、基材シート２０Ａが有する２つの面のうち、基材シート２０Ａの表面と反対側の面のことである。
【００３６】
基材シート２０Ａの材質は、ガラス、プラスチック、紙、金属（例えば、アルミニウム等）等である。ただし、基材シート２０Ａは、可撓性を有することが望ましい。なお、当該材質は、これらに代えて、他の材質であってもよい。基材シート２０Ａの形状は、板状、箔状等である。なお、基材シート２０Ａの形状は、これらに代えて、他の形状であってもよい。以下では、一例として、基材シート２０Ａの形状が、平面視略矩形のカード形状である場合について説明する。
【００３７】
基材シート２０Ａは、前述の照明装置ＵＶＬから照射される光に対する透過性を有する構成であってもよく、当該光に対する透過性を有さない構成であってもよい。
【００３８】
第１色表示部２１は、第１色表示面に塗布された第１材料の色を表示するインジケーターである。
【００３９】
第１色表示面は、第１色表示部２１が有する面のうち基材シート２０Ａ側と反対側のうちの一部又は全部である。以下では、一例として、図１に示したように、第１色表示面が、第１色表示部２１が有する面のうち基材シート２０Ａ側と反対側の全面である場合について説明する。
【００４０】
第１材料は、予め決められた条件が満たされた場合において、予め決められた色Ｃ１を発色する材料である。また、第１材料は、色Ｃ１を発色した後に当該条件が満たされ続けた場合において、発色した色Ｃ１が時間の経過とともに不可逆的に退色する材料である。なお、色Ｃ１は、如何なる色であってもよい。
【００４１】
ここで、本実施形態では、ある色の退色は、当該色の色相、彩度、明度のうちの少なくとも１つの低下を意味する。このため、本実施形態では、ある色の退色の度合いは、当該色が退色した後の色と、基準となる色との色差によって表される。
【００４２】
予め決められた条件は、例えば、予め決められた波長帯の光が照射されることである。なお、当該条件は、これに代えて、他の条件であってもよい。予め決められた波長帯は、例えば、紫外線の波長帯である。なお、予め決められた波長帯は、これに代えて、他の波長帯であってもよい。
【００４３】
すなわち、この一例における表示デバイス２０では、第１色表示部２１に予め決められた波長帯の光が照射された場合、第１色表示面に色Ｃ１が発色するとともに、発色した色Ｃ１の退色が開始される。その結果、表示デバイス２０では、色Ｃ１の退色の割合と、色Ｃ１が退色し始めてからの経過時間とが一対一に対応付けられる。以下では、説明の便宜上、第１色表示部２１において発色した色Ｃ１が退色していく過程において第１色表示部２１に表示される色を、色Ｃ１と区別するため、色Ｆ１と称して説明する。すなわち、色Ｆ１は、当該過程において第１色表示部２１に表示される色のうちのいずれか示す。換言すると、色Ｆ１は、色Ｃ１が退色し始めた後のタイミングにおいて第１色表示部２１に表示された色のいずれかである。
【００４４】
第１材料は、例えば、フォトクロミック化合物である。フォトクロミック化合物としては、例えば、ジアリールエテン系、アゾベンゼン系、スピロピラン系、フルキド系が挙げられる。これらの中でも特に、ジアリールエテン系フォトクロミック化合物は、熱安定性、繰返し耐久性、高感度であること、様々な温度で光反応可能であることなどの点で、第１材料として望ましい。一般式（１）は、ジアリールエテン系フォトクロミック化合物の例である。
【００４５】
【化１】
2019207179.tif 000003
【００４６】
一般式（１）
［一般式（１）中、Ｘは硫黄原子（Ｓ）またはスルホニル基（ＳＯ２）であり、Ｚは水素原子（Ｈ）またはフッ素原子（Ｆ）であり、ＲおよびＲ’は同一または異なって炭素数１〜６のアルキル基または炭素数３〜７のシクロアルキル基でありかつ少なくともいずれか一方が炭素数３〜７の第二級アルキル基である］
【００４７】
フォトクロミック化合物は、予め決められた波長帯の光（例えば、紫外線の波長帯（例えば、波長２５０〜４００ｎｍ））の照射により発色する。一般式（１）のフォトクロミック化合物は、当該光の照射により、２つのチオフェン環に結合する２つの置換基Ｒ（ここではＲ’＝Ｒとする）が結合して環を形成（閉環）し、発色する。発色したフォトクロミック化合物は、所定の温度未満では安定であるが、当該温度以上の条件に曝される（加熱される）ことにより退色（消色）する。なお、第１材料は、発色状態が可視光下で安定であることが好ましい。すなわち、第１材料は、可視光が照射された場合に色Ｃ１が退色しない材料であることが望ましい。
【００４８】
このような理由から、第１色表示部２１において色Ｃ１が発色した後、発色した色Ｃ１は、予め決められた波長帯の光が照射された場合、表示デバイス２０の周囲の温度に応じた退色速度によって時間の経過とともに退色する。表示デバイス２０の周囲は、例えば、表示デバイス２０が存在する室内であってもよく、表示デバイス２０を中心とした所定半径の球領域内であってもよく、表示デバイス２０に応じた他の領域であってもよい。
【００４９】
ここで、本実施形態において、ある色が退色する場合の退色速度は、当該色と、単位時間経過後に当該色が退色した後の色との色差によって表される。すなわち、ある色がある退色速度で時間の経過とともに退色する場合、当該色と当該色の退色後の色との間の色差は、時間が経過するほど、当該退色速度に応じて大きくなる。
【００５０】
第２色表示部２２は、第２色表示面に塗布された第２材料の色を表示するインジケーターである。
【００５１】
第２色表示面は、第２色表示部２２が有する面のうち基材シート２０Ａ側と反対側のうちの一部又は全部である。以下では、一例として、図１に示したように、第２色表示面が、第２色表示部２２が有する面のうち基材シート２０Ａ側と反対側の全面である場合について説明する。
【００５２】
第２材料は、第１材料とほぼ同じ構成を有する材料である。このため、第２材料についての詳細な説明を省略する。ただし、第２材料は、予め決められた波長帯の光が照射された場合において、予め決められた色Ｃ２を発色する。また、第２材料は、予め決められた波長帯の光が照射された場合において、第２材料において発色した色Ｃ２が退色する退色速度は、第１材料において発色した色Ｃ１が退色する退色速度と異なる。なお、第２材料において発色する色Ｃ２は、色Ｃ１と同じ色であってもよく、色Ｃ１と異なる色であってもよい。
【００５３】
すなわち、この一例における表示デバイス２０では、第２色表示部２２に予め決められた波長帯の光が照射された場合、第２色表示面に色Ｃ２が発色するとともに、発色した色Ｃ２の退色が開始される。その結果、表示デバイス２０では、色Ｃ２の退色の割合と、色Ｃ２が退色し始めてからの経過時間とが一対一に対応付けられる。以下では、説明の便宜上、第２色表示部２２において発色した色Ｃ２が退色していく過程において第２色表示部２２に表示される色を、色Ｃ２と区別するため、色Ｆ２と称して説明する。すなわち、色Ｆ２は、当該過程において第２色表示部２２に表示される色のうちのいずれか示す。換言すると、色Ｆ２は、色Ｃ２が退色し始めた後のタイミングにおいて第２色表示部２２に表示された色のいずれかである。
【００５４】
ここで、第１色表示部２１の色Ｃ１及び第２色表示部２２の色Ｃ２の退色特性について説明する。なお、第２色表示部２２の色Ｃ２の退色特性については、第１色表示部２１の色Ｃ１の退色特性と定性的に同様の退色特性であるため、説明を省略する。
【００５５】
図２は、本実施形態に係る第１色表示部２１の色Ｃ１の退色特性の一例を示す図である。色Ｃ１の退色特性は、色Ｃ１の彩度の時間的な変化と同様の変化によって表される。そこで、図２では、色Ｃ１の退色特性の一例として、色Ｃ１の退色における色Ｃ１の彩度の時間的な変化（すなわち、色Ｆ１の彩度の時間的な変化）を示している。図２に示したグラフの縦軸は、第１色表示部２１の色Ｃ１の彩度を示す。当該グラフの横軸は、予め決められた波長帯の光が第１色表示部２１に照射され始めてからの経過時間を示す。
【００５６】
図２に示したように、第１色表示部２１の色Ｃ１は、予め決められた波長帯の光が照射されて発色した後、時間の経過とともに退色（消色）する。図２に示した曲線ａは、ある温度における色Ｃ１の彩度の経時変化を示す。図２に示した曲線ｂは、当該温度より高い温度における色Ｃ１の経時変化を示す。図２に示した曲線ｃは、当該温度より更に高い温度における色Ｃ１の経時変化を示す。このように、第１色表示部２１では、表示デバイス２０の周囲の温度が高いほど色Ｃ１の退色（消色）の退色速度が高くなる。すなわち、第１色表示部２１において色Ｃ１が発色した後、発色した色Ｃ１は、予め決められた波長帯の光が照射された場合、表示デバイス２０の周囲の温度に応じた退色速度によって時間の経過とともに退色する。
【００５７】
照明装置ＵＶＬは、ユーザーから受け付けた操作に応じて、予め決められた波長帯の光を照射する。照明装置ＵＶＬは、表示デバイス２０に当該光を照射可能な位置に設置される。なお、照明装置ＵＶＬは、読取処理装置３０からの要求に応じて当該光を照射する構成であってもよい。
【００５８】
撮像装置２５は、例えば、集光された光を電気信号に変換する撮像素子として、ＣＣＤ（Charge  Coupled  Device）、ＣＭＯＳ（Complementary  Metal  Oxide  Semiconductor）等を備えたカメラである。撮像装置２５は、表示デバイス２０を含む範囲を撮像可能な位置に設置される。撮像装置２５は、撮像した撮像画像を読取処理装置３０に出力する。
【００５９】
撮像装置２５は、ケーブルによって読取処理装置３０と通信可能に接続されている。なお、ケーブルを介した有線通信は、例えば、イーサネット（登録商標）やＵＳＢ（Universal  Serial  Bus）等の規格によって行われる。また、撮像装置２５は、Ｗｉ−Ｆｉ（登録商標）等の通信規格により行われる無線通信によって読取処理装置３０と接続される構成であってもよい。
【００６０】
読取処理装置３０は、上記の読取処理装置の一例である。読取処理装置３０は、例えば、ワークステーション、デスクトップＰＣ（Personal  Computer）、ノートＰＣ、タブレットＰＣ、多機能携帯電話端末（スマートフォン）、携帯電話端末、ＰＤＡ（Personal  Digital  Assistant）等である。なお、読取処理装置３０は、これらに代えて、他の情報処理装置であってもよい。
【００６１】
読取処理装置３０は、撮像装置２５が撮像可能な範囲を撮像装置２５に撮像させる。読取処理装置３０は、撮像装置２５が撮像した撮像画像を撮像装置２５から取得する。読取処理装置３０は、取得した撮像画像に基づいて、表示デバイス２０が予め決められた環境温度の環境に暴露され始めてからの経過時間を推定する。この一例では、読取処理装置３０は、取得した撮像画像に基づいて、当該経過時間とともに当該環境温度を推定する。そして、読取処理装置３０は、推定した経過時間及び環境温度の少なくとも一方を表示する。
【００６２】
＜読取処理装置のハードウェア構成＞
以下、図３を参照し、読取処理装置３０のハードウェア構成について説明する。図３は、読取処理装置３０のハードウェア構成の一例を示す図である。
【００６３】
読取処理装置３０は、例えば、ＣＰＵ（Central  Processing  Unit）３１と、記憶部３２と、入力受付部３３と、通信部３４と、表示部３５と、拡張スロット３６と、マイク３７と、外部接続端子３８と、スピーカー３９を備える。これらの構成要素は、バスを介して相互に通信可能に接続されている。また、読取処理装置３０は、通信部３４を介して撮像装置２５と通信を行う。
【００６４】
ＣＰＵ３１は、記憶部３２に格納された各種のプログラムを実行する。なお、ＣＰＵ３１は、ＦＰＧＡ（Field  Programmable  Gate  Array）等の他のプロセッサーであってもよい。
【００６５】
記憶部３２は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）等を含む。なお、記憶部３２は、読取処理装置３０に内蔵されるものに代えて、ＵＳＢ等のデジタル入出力ポート等によって接続された外付け型の記憶装置であってもよい。記憶部３２は、読取処理装置３０が処理する各種の情報、各種の画像、動作プログラム等を格納する。
【００６６】
入力受付部３３は、マウス、キーボード、タッチパッド等の入力装置である。なお、入力受付部３３は、タッチパネルとして表示部３５と一体に構成されてもよい。
【００６７】
通信部３４は、例えば、ＵＳＢ等のデジタル入出力ポートやイーサネット（登録商標）ポート等を含んで構成される。
【００６８】
表示部３５は、例えば、液晶ディスプレイパネル、あるいは、有機ＥＬ（ElectroLuminescence）ディスプレイパネルである。
【００６９】
拡張スロット３６は、例えば、フラッシュメモリー等の外付け型記憶装置が挿入されるスロットである。
【００７０】
マイク３７は、音響信号を収音する。
【００７１】
外部接続端子３８は、例えば、ＵＳＢ端子である。
【００７２】
スピーカー３９は、音響信号を出力する。
【００７３】
なお、読取処理装置３０は、入力受付部３３と、表示部３５とのうちのいずれか一方又は両方を備えない構成であってもよい。この場合、読取処理装置３０には、備えていない方の装置が、外付け装置として接続される。また、読取処理装置３０は、拡張スロット３６、マイク３７、外部接続端子３８、スピーカー３９のうちの一部又は全部を備えない構成であってもよい。
【００７４】
＜読取処理装置の機能構成＞
以下、図４を参照し、読取処理装置３０の機能構成について説明する。図４は、読取処理装置３０の機能構成の一例を示す図である。
【００７５】
読取処理装置３０は、制御部３１０を備える。
【００７６】
制御部３１０は、読取処理装置３０の全体を制御する。制御部３１０は、撮像制御部３１１と、取得部３１２と、変換部３１３と、算出部３１４と、推定部３１５と、表示制御部３１６を備える。制御部３１０が備えるこれらの機能部は、例えば、ＣＰＵ３１が、記憶部３２に記憶された各種のプログラムを実行することにより実現される。また、当該機能部のうちの一部又は全部は、ＬＳＩ（Large  Scale  Integration）、ＡＳＩＣ（Application  Specific  Integrated  Circuit）等のハードウェア機能部であってもよい。
【００７７】
撮像制御部３１１は、撮像装置２５が撮像可能な範囲を撮像装置２５に撮像させる。
【００７８】
取得部３１２は、撮像装置２５が撮像した撮像画像を撮像装置２５から取得する。なお、取得部３１２は、読取処理装置が備える取得部の一例である。
【００７９】
変換部３１３は、取得部３１２が取得した撮像画像の色空間を、予め決められた色空間に変換する。
【００８０】
算出部３１４は、変換部３１３により色空間が変換された後の撮像画像に基づいて、第１値を算出する。第１値は、第１色表示部２１の色に基づく値のことであり、推定部３１５が行う推定において用いられる値である。また、算出部３１４は、当該撮像画像に基づいて、第２値を算出する。第２値は、第２色表示部２２の色に基づく値のことであり、推定部３１５が行う推定において用いられる値である。
【００８１】
推定部３１５は、算出部３１４により算出された第１値及び第２値に基づいて、表示デバイス２０が予め決められた環境温度の環境に暴露され始めてからの経過時間とともに、当該環境温度を推定する。なお、推定部３１５は、当該経過時間のみを推定する構成であってもよい。
【００８２】
表示制御部３１６は、ユーザーから受け付けた操作に応じて、各種の画像を生成する。表示制御部３１６は、生成した画像を表示部３５に表示させる。
【００８３】
＜表示デバイスが予め決められた環境温度の環境に暴露され始めてからの経過時間を読取処理装置が推定する処理＞
以下、図５を参照し、表示デバイス２０が予め決められた環境温度の環境に暴露され始めてからの経過時間を読取処理装置３０が推定する処理について説明する。図５は、表示デバイス２０が予め決められた環境温度の環境に暴露され始めてからの経過時間を読取処理装置３０が推定する処理の流れの一例を示す図である。なお、図５では、一例として、ステップＳ１１０の処理が行われる前のタイミングにおいて、照明装置ＵＶＬによる光の照射が開始されている場合について説明する。すなわち、図５では、当該タイミングにおいて、第１色表示部２１に色Ｃ１が発色しており、且つ、第２色表示部２２に色Ｃ２が発色している場合について説明する。また、図５では、一例として、当該タイミングにおいて、読取処理装置３０に当該経過時間の推定を開始させる操作を読取処理装置３０がユーザーから受け付けている場合について説明する。また、図５では、一例として、当該タイミングとほぼ同じタイミング（又は同じタイミング）において、表示デバイス２０が予め決められた環境温度の環境に暴露され始めた場合について説明する。
【００８４】
撮像制御部３１１は、撮像装置２５が撮像可能な範囲を撮像装置２５に撮像させる（ステップＳ１１０）。
【００８５】
次に、取得部３１２は、ステップＳ１１０において撮像装置２５が撮像した撮像画像を撮像装置２５から取得する（ステップＳ１２０）。以下では、説明の便宜上、ステップＳ１２０において取得部３１２が取得した撮像画像を、撮像画像Ｐ１と称して説明する。
【００８６】
次に、変換部３１３は、撮像画像Ｐ１の色空間を、予め決められた色空間に変換する（ステップＳ１３０）。
【００８７】
ここで、ステップＳ１３０の処理について説明する。
ある画像の色空間は、より具体的には、当該画像上の色を示す座標系によって表される仮想的な空間のことである。例えば、当該画像の色空間は、ＲＧＢ（Red, Green, Blue）、ＣＭＹＫ（Cyan, Magenta, Yellow Key plate）、ＨＳＢ（Hue, Saturation, Brightness）、ＨＬＳ（Hue, Saturation, Luminance）、Ｌａ*ｂ*等である。以下では、一例として、撮像画像Ｐ１の色空間がＲＧＢである場合について説明する。また、以下では、一例として、予め決められた色空間が、ＨＳＢである場合について説明する。
【００８８】
なお、撮像画像Ｐ１の色空間は、ＲＧＢに代えて、他の色空間であってもよい。また、予め決められた色空間は、ＨＳＢに代えて、他の色空間であってもよい。ただし、予め決められた色空間は、他の色空間よりもステップＳ１４０の処理に適した色空間（すなわち、他の色空間に比べてステップＳ１４０の処理が実行し易い色空間）であることが望ましい。当該処理は、色差を算出する処理のことである。すなわち、ＨＳＢは、ＲＧＢと比べて、色差を算出する処理に適した色空間である。また、撮像画像Ｐ１の色空間が、予め決められた色空間と一致している場合、ステップＳ１３０の処理は、省略されてもよい。
【００８９】
また、予め決められた色空間が、例えば、Ｌａ*ｂ*である場合、読取処理システム１では、撮像装置２５に代えて、分光測色装置（分光測色計）を備える構成であってもよい。この場合、読取処理装置３０は、第１色表示部２１及び第２色表示部２２それぞれの色を分光測色装置に計測させ、計測させた結果を示す情報を分光測色装置から取得する。すなわち、当該場合、当該情報が、撮像装置２５によって撮像された撮像画像の代わりとなる。
【００９０】
ステップＳ１３０の処理が行われた後、算出部３１４は、ステップＳ１３０において色空間が変換された後の撮像画像Ｐ１に基づいて、前述の第１値と第２値とを算出する（ステップＳ１４０）。
【００９１】
ここで、ステップＳ１４０の処理について説明する。
以下では、説明の便宜上、ステップＳ１３０において色空間が変換された後の撮像画像Ｐ１を、撮像画像Ｐ２と称して説明する。
【００９２】
例えば、算出部３１４は、パターンマッチング等の画像処理によって、撮像画像Ｐ２に含まれる領域のうち第１色表示部２１に対応する領域を第１領域として特定する。また、算出部３１４は、パターンマッチング等の画像処理によって、撮像画像Ｐ２に含まれる領域のうち第１色表示部２１に対応する領域を第２領域として特定する。算出部３１４は、特定した第１領域の色情報を第１色情報として検出する。第１色情報は、すなわち、撮像画像Ｐ２（すなわち、撮像画像Ｐ１）が撮像されたタイミングにおける第１領域の色Ｆ１の色情報のことである。また、算出部３１４は、特定した第２領域の色情報を第２色情報として検出する。第２色情報は、すなわち、撮像画像Ｐ２（すなわち、撮像画像Ｐ１）が撮像されたタイミングにおける第２領域の色Ｆ２の色情報のことである。以下では、説明の便宜上、当該タイミングのことを、撮像タイミングと称して説明する。
【００９３】
ここで、本実施形態において、ある色の色情報は、当該色を示す座標系によって表される色空間における座標値を含む情報のことである。例えば、当該色空間がＨＳＢである場合、当該座標値は、当該色の色相、彩度、明度のそれぞれである。従って、ステップＳ１４０において、算出部３１４は、撮像タイミングにおける色Ｆ１の色相、彩度、明度のそれぞれを含む情報を、第１色情報として検出する。また、算出部３１４は、撮像タイミングにおける色Ｆ２の色相、彩度、明度のそれぞれを含む情報を、第２色情報として検出する。なお、第１色情報には、撮像タイミングにおける色Ｆ１の色相、彩度、明度に加えて、他の情報が含まれる構成であってもよい。また、第２色情報には、撮像タイミングにおける色Ｆ２の色相、彩度、明度に加えて、他の情報が含まれる構成であってもよい。
【００９４】
算出部３１４は、検出した第１色情報と第０基準色情報とに基づいて、撮像画像Ｐ２上の色Ｆ１と基準色との色差を第１色差Ａ１として算出する。第０基準色情報は、基準色の色情報を示す情報のことである。基準色は、第１色表示部２１において色Ｃ１が発色する前の第１色表示面の色である。なお、基準色は、これに代えて、第２色表示部２２において色Ｃ２が発色する前の第２色表示面の色等の他の色であってもよい。また、基準色を示す座標系によって表される色空間は、撮像画像Ｐ２の色空間と同じ色空間である。また、算出部３１４による色差の算出方法は、既知の方法であってもよく、これから開発される方法であってもよい。このため、当該算出方法についての詳細な説明を省略する。
【００９５】
ここで、算出部３１４は、第１色差Ａ１を算出する際、記憶部３２に予め記憶された第０基準色情報を記憶部３２から読み出す。そして、算出部３１４は、読み出した第０基準色情報が示す基準色の色情報と、検出した第１色情報とに基づいて、撮像画像Ｐ２上の色Ｆ１と基準色との色差を第１色差Ａ１として算出する。なお、第１色差Ａ１は、第１色差の一例である。
【００９６】
また、算出部３１４は、検出した第０基準情報と第１基準色情報とに基づいて、基準色と色Ｃ１との色差を第１色差Ａ２として算出する。第１基準色情報は、色Ｃ１の色情報を示す情報である。ここで、当該色Ｃ１を示す座標系によって表される色空間は、撮像画像Ｐ２の色空間と同じ色空間である。
【００９７】
そして、算出部３１４は、算出した第１色差Ａ１の第１色差Ａ２に対する比（具体的には、第１色差Ａ１／第１色差Ａ２）、すなわち、色Ｃ１の退色率を、第１値として算出する。
【００９８】
また、算出部３１４は、検出した第２色情報と第０基準色情報とに基づいて、撮像画像Ｐ２上の色Ｆ２と基準色との色差を第２色差Ｂ１として算出する。なお、第２色差Ｂ１は、第２色差の一例である。
【００９９】
ここで、算出部３１４は、第２色差Ｂ１を算出する際、記憶部３２に予め記憶された第０基準色情報を記憶部３２から読み出す。そして、算出部３１４は、読み出した第０基準色情報が示す基準色の色情報と、検出した第２色情報とに基づいて、撮像画像Ｐ２上の色Ｆ２と基準色との色差を第２色差Ｂ１として算出する。
【０１００】
また、算出部３１４は、検出した第０基準情報と第２基準色情報とに基づいて、基準色と色Ｃ２との色差を第２色差Ｂ２として算出する。第２基準色情報は、色Ｃ２の色情報を示す情報である。ここで、当該色Ｃ２を示す座標系によって表される色空間は、撮像画像Ｐ２の色空間と同じ色空間である。
【０１０１】
そして、算出部３１４は、算出した第２色差Ｂ１の第２色差Ｂ２に対する比（具体的には、第２色差Ｂ１／第２色差Ｂ２）、すなわち、色Ｃ２の退色率を、第２値として算出する。
【０１０２】
なお、算出部３１４は、第１色差Ａ１を第１値として算出する構成であってもよく、撮像タイミングにおける第１色表示部２１の色、すなわち、色Ｆ１に基づく他の値を第１値として算出する構成であってもよい。また、算出部３１４は、第２色差Ｂ１を第２値として算出する構成であってもよく、撮像タイミングにおける第２色表示部２２の色、すなわち、色Ｆ２に基づく他の値を第２値として算出する構成であってもよい。
【０１０３】
ステップＳ１４０の処理が行われた後、推定部３１５は、ステップＳ１４０において算出された第１値及び第２値に基づいて、表示デバイス２０が予め決められた環境温度の環境に暴露され始めてからの経過時間と、当該環境温度とを推定する（ステップＳ１５０）。なお、図５では、当該経過時間を、暴露時間と称している。
【０１０４】
ここで、ステップＳ１５０の処理について詳しく説明する。
推定部３１５は、記憶部３２に予め記憶された第１対応情報を記憶部３２から読み出す。第１対応情報は、第１値を示す第１値情報と、環境温度を示す環境温度情報と、経過時間を示す経過時間情報と、第１値情報毎に環境温度情報と経過時間情報とを対応づける情報とを含む情報のことである。第１対応情報は、例えば、実験、シミュレーション等を予め行うことによって得られる情報である。なお、第１対応情報は、読取処理装置３０により予め行われた測定に基づいて生成された情報であってもよい。以下では、一例として、第１対応情報が、図６に示したテーブルである場合について説明する。当該テーブルは、第１値毎に環境温度と経過時間とを対応づけたテーブルである。
【０１０５】
図６は、第１対応情報の一例を示す図である。図６に示したテーブルでは、複数の第１値のそれぞれに対して、環境温度と経過時間との組み合わせが複数対応づけられている。ここで、推定部３１５は、記憶部３２から読み出した第１対応情報を参照し、ステップＳ１４０において算出部３１４が算出した第１値と最も近い第１値に対応付けられた環境温度及び経過時間を選択する。換言すると、推定部３１５は、第１対応情報に含まれる第１値のうち、ステップＳ１４０において算出部３１４が算出した第１値との差が最も小さい第１値を特定する。推定部３１５は、特定した第１値に対応付けられた複数の組み合わせを選択する。当該組み合わせは、環境温度と経過時間との組み合わせのことである。
【０１０６】
例えば、推定部３１５により特定された第１値が「０．６２５」である場合、推定部３１５は、図６に示したテーブルに含まれる第１値のうち、「０．６２５」と最も近い第１値である「０．６」を含むレコード（図６に示した例では、レコードＲＣ１）を特定する。そして、推定部３１５は、特定したレコードに含まれるｉ個（ｉは、当該レコードに含まれている環境温度の数である）の組み合わせを選択する。当該組み合わせは、環境温度と経過時間との組み合わせのことである。以下では、説明の便宜上、これらｉ個の組み合わせを、第１組み合わせと総称して説明する。
【０１０７】
また、推定部３１５は、記憶部３２に予め記憶された第２対応情報を記憶部３２から読み出す。第２対応情報は、第２値を示す第２値情報と、環境温度を示す環境温度情報と、経過時間を示す経過時間情報と、第２値情報毎に環境温度情報と経過時間情報とを対応づける情報とを含む情報のことである。第２対応情報は、例えば、実験、シミュレーション等を予め行うことによって得られる情報である。なお、第２対応情報は、読取処理装置３０により予め行われた測定に基づいて生成された情報であってもよい。以下では、一例として、第２対応情報が、図７に示したテーブルである場合について説明する。当該テーブルは、第２値毎に環境温度と経過時間とを対応づけたテーブルである。
【０１０８】
図７は、第２対応情報の一例を示す図である。図７に示したテーブルでは、複数の第２値のそれぞれに対して、環境温度と経過時間との組み合わせが複数対応づけられている。ここで、推定部３１５は、記憶部３２から読み出した第２対応情報を参照し、ステップＳ１４０において算出部３１４が算出した第２値と最も近い第２値に対応付けられた環境温度及び経過時間を選択する。換言すると、推定部３１５は、第２対応情報に含まれる第２値のうち、ステップＳ１４０において算出部３１４が算出した第２値との差が最も小さい第２値を特定する。推定部３１５は、特定した第２値に対応付けられた複数の組み合わせを選択する。当該組み合わせは、環境温度と経過時間との組み合わせのことである。
【０１０９】
例えば、推定部３１５により特定された第２値が「０．４７５」である場合、推定部３１５は、図７に示したテーブルに含まれる第２値のうち、「０．４７５」と最も近い第２値である「０．５」を含むレコード（図７に示した例では、レコードＲＣ２）を特定する。そして、推定部３１５は、特定したレコードに含まれるｊ個（ｊは、当該レコードに含まれている温度の数である）の組み合わせを選択する。当該組み合わせは、環境温度と経過時間との組み合わせのことである。以下では、説明の便宜上、これらｊ個の組み合わせを、第２組み合わせと総称して説明する。
【０１１０】
第１組み合わせ及び第２組み合わせを選択した後、推定部３１５は、第１組み合わせに含まれているｉ個の組み合わせと、第２組み合わせに含まれているｊ個の組み合わせとを比較し、互いに最も近い２つの組み合わせを選択する。具体的には、以下に示した式（１）の左辺の値が最も小さくなる２つの組み合わせを選択する。
【０１１１】
Ｘ＝（Ｔ１m−Ｔ２n）×Ｙmn＋（ｔ１m−ｔ２n）×Ｚmn  ・・・（１）
【０１１２】
ここで、ｍは、第１組み合わせに含まれているｉ個の組み合わせのうちのｍ番目の組み合わせを示す添え字である。ｎは、第２組み合わせに含まれているｊ個の組み合わせのうちのｎ番目の組み合わせを示す添え字である。Ｔ１mは、ｍによって示されている組み合わせに含まれている環境温度を示す。Ｔ２nは、ｎによって示されている組み合わせに含まれている環境温度を示す。ｔ１mは、ｍによって示されている組み合わせに含まれている経過時間を示す。ｔ２nは、ｎによって示されている組み合わせに含まれている経過時間を示す。Ｙmnは、以下の式（２）によって定義される重み付け係数である。
【０１１３】
Ｙmn＝（Ｔ１m＋Ｔ２n）／２  ・・・（２）
【０１１４】
Ｚmnは、以下の式（３）によって定義される重み付け係数である。
【０１１５】
Ｚmn＝（ｔ１m＋ｔ２n）／２  ・・・（３）
【０１１６】
このように、推定部３１５は、第１組み合わせに含まれているｉ個の組み合わせと、第２組み合わせに含まれているｊ個の組み合わせとを比較し、互いに最も近い２つの組み合わせ（すなわち、Ｘが最も小さくなる場合におけるｍとｎとのそれぞれが示す組み合わせ）を選択する。そして、推定部３１５は、選択した２つの組み合わせのそれぞれに含まれる環境温度の平均値を、表示デバイス２０が暴露された環境の環境温度として推定（特定）する。また、推定部３１５は、選択した２つの組み合わせのそれぞれに含まれる経過時間の平均値を、推定した環境温度の環境に表示デバイス２０が暴露され始めてからの経過時間として推定（特定）する。
【０１１７】
なお、上記の式（１）は、以下の式（４）のように、２つの組み合わせ同士の差の大きさに応じた値をＸとして算出する式であれば、他の式であってもよい。式（４）の場合、重み付け係数が、右辺の各項に乗じられていないが、乗じられる構成であってもよい。
【０１１８】
Ｘ＝（Ｔ１m−Ｔ２n）2＋（ｔ１m−ｔ２n）2  ・・・（４）
【０１１９】
また、推定部３１５は、選択した第１組み合わせに基づいてフィッティングした関数と、選択した第２組み合わせに基づいてフィッティングした関数とを算出し、算出した関数同士の交点における環境温度を、表示デバイス２０が暴露された環境の環境温度として推定（特定）する構成であってもよい。また、推定部３１５は、当該交点における経過時間を、推定した環境温度の環境に表示デバイス２０が暴露され始めてからの経過時間として推定（特定）する構成であってもよい。図８は、第１組み合わせ及び第２組み合わせのそれぞれに基づいてフィッティングされた２つの関数の交点の一例を示す図である。図８に示したグラフの縦軸は、温度を示す。また、当該グラフの横軸は、時間を示す。また、図８に示した関数ＦＣ１は、第１組み合わせに基づいてフィッティングされた関数の一例である。また、図８に示した関数ＦＣ２は、第２組み合わせに基づいてフィッティングされた関数の一例である。そして、交点ＰＴ１は、第１組み合わせ及び第２組み合わせのそれぞれに基づいてフィッティングされた２つの関数の交点の一例である。すなわち、図８に示した例では、推定部３１５は、温度ＴＳを、当該環境温度として推定する。また、当該例では、推定部３１５は、時間ｔＳを、当該経過時間として推定する。
【０１２０】
また、第１対応情報は、複数の第１値のそれぞれについて、環境温度と経過時間との第１値に応じた関係を示す関数が対応付けられた情報であってもよい。また、第２対応情報は、複数の第２値のそれぞれについて、環境温度と経過時間との第２値に応じた関係を示す関数が対応付けられた情報であってもよい。この場合、推定部３１５は、選択した第１値に対応付けられた関数を特定する。また、推定部３１５は、選択した第２値に対応付けられた関数を特定する。そして、推定部３１５は、特定したこれらの関数の交点における環境温度を、表示デバイス２０が暴露された環境の環境温度として推定（特定）する。また、推定部３１５は、当該交点における経過時間を、推定した環境温度の環境に表示デバイス２０が暴露され始めてからの経過時間として推定（特定）する。
【０１２１】
また、第１対応情報は、第１値と環境温度と経過時間との依存関係を示す関数であってもよい。換言すると、第１対応情報は、第１値、環境温度、経過時間の３つのパラメーターのうちの２つを与えることによって残り１つのパラメーターの値が算出される関数であってもよい。また、第２対応情報は、第２値と前記環境温度と前記経過時間との依存関係を示す関数であってもよい。換言すると、第２対応情報は、第２値、環境温度、経過時間の３つのパラメーターのうちの２つを与えることによって残り１つのパラメーターの値が算出される関数であってもよい。この場合、第１対応情報と第２対応情報とのそれぞれは、図９に示したグラフ上の複数の曲線として表すことができる。
【０１２２】
図９は、複数の関数によって表された第１対応情報及び第２対応情報それぞれの一例を示す図である。図９に示したグラフの縦軸は、第１値及び第２値それぞれの値を示す。当該グラフの横軸は、時間を示す。図９に示した関数ＦＮ１１〜関数ＦＮ１５のそれぞれは、第１値と環境温度と経過時間との依存関係を示す関数としての第１対応情報に基づいて、５つの環境温度毎にプロットした曲線である。図９に示した関数ＦＮ２１〜関数ＦＮ２５のそれぞれは、第２値と環境温度と経過時間との依存関係を示す関数としての第２対応情報に基づいて、５つの環境温度毎にプロットした曲線である。ここで、一例として、ステップＳ１４０において算出部３１４が算出した第１値がＶ１であり、ステップＳ１４０において算出部３１４が算出した第２値がＶ２である場合について説明する。推定部３１５は、縦軸のＶ１を通り、横軸に水平な直線と、関数ＦＮ１１〜関数ＦＮ１５それぞれとの交点を第１交点として算出する。また、推定部３１５は、縦軸のＶ２を通り、横軸に水平な直線と、関数ＦＮ２１〜関数ＦＮ２５それぞれとの交点を第２交点として算出する。推定部３１５は、算出した５つの第１交点と、算出した５つの第２交点とのそれぞれを結ぶ直線を算出し、算出した複数の直線のうち環境温度と経過時間とのそれぞれがほぼ一致する第１交点及び第２交点を通る直線であり、且つ、算出した複数の直線のうち横軸に対する傾きが９０°に最も近い直線を選択する。推定部３１５は、選択した直線が通る第１交点における環境温度と、選択した直線が通る第２交点における環境温度との平均値を、表示デバイス２０が暴露された環境の環境温度として推定（特定）する。また、推定部３１５は、選択した直線が通る第１交点における経過時間と、選択した直線が通る第２交点における経過時間との平均値を、推定した環境温度の環境に表示デバイス２０が暴露され始めてからの経過時間として推定（特定）する。
【０１２３】
ステップＳ１５０の処理が行われた後、表示制御部３１６は、ステップＳ１５０において推定部３１５が推定した環境温度及び経過時間を表示部３５に表示させ（ステップＳ１６０）、処理を終了する。
【０１２４】
なお、上記において説明したステップＳ１５０において、推定部３１５は、環境温度と経過時間とのいずれか一方のみを推定する構成であってもよい。この場合、表示制御部３１６は、ステップＳ１６０において、推定部３１５が推定した当該一方のみを表示部３５に表示させる。
【０１２５】
＜実施形態の変形例１＞
以下、実施形態の変形例１について説明する。なお、実施形態の変形例１では、実施形態と同様な構成部に対して同じ符号を付して説明を省略する。
【０１２６】
実施形態の変形例１に係る読取処理装置３０は、図５に示したステップＳ１５０において、以下において説明する方程式と、ステップＳ１４０において算出部３１４が算出した第１値及び第２値とに基づいて、表示デバイス２０が予め決められた環境温度の環境に暴露され始めてからの経過時間と、当該環境温度とを推定する。以下では、説明の便宜上、第１材料と第２材料とを区別する必要がない限りにおいて、第１材料と第２材料とをまとめて、フォトクロミック材料と称して説明する。
【０１２７】
フォトクロミック材料は、前述した通り、予め決められた波長帯の光が照射されることによって発色する。ここで、以下では、あるフォトクロミック材料に当該光が照射され始めたタイミングを時刻ｔ＝０である場合について説明する。また、以下では、当該フォトクロミック材料を構成する分子のうち、当該光の照射によって発色した分子を、発色分子と称して説明する。また、以下では、発色分子のうち、時間の経過とともに消色した分子を消色分子と称して説明する。
【０１２８】
各発色分子は、ある時間間隔において、フォトクロミック材料に応じて決まる確率で消色分子へと遷移する。すなわち、ある時刻ｔにおける発色分子の数をＮ（ｔ）とすると、時刻ｔから微小時間Δｔが経過した後の発色分子の数は、Ｎ（ｔ）とΔｔとのそれぞれに比例する。このため、この比例関係における比例定数をλとすると、微小時間Δｔが経過する間に消色する発色分子の数（すなわち、発色分子の減少数）ΔＮは、以下の式（５）に基づいて算出される。
【０１２９】
ΔＮ＝−λＮ（ｔ）Δｔ  ・・・（５）
【０１３０】
上記の式（５）に基づいて、以下の式（６）に示した微分方程式が得られる。ここで、λは、フォトクロミック材料が曝される環境の環境温度と、フォトクロミック材料の種類とに応じて決まる定数であり、実験、シミュレーション等によって決められる。以下では、説明の便宜上、λを、退色定数と称して説明する。
【０１３１】
ｄＮ／ｄｔ＝−λＮ（ｔ）  ・・・（６）
【０１３２】
ここで、時刻ｔ＝０における発色分子の数をＮ（０）＝Ｎ0とすると、上記の式（６）を解くと、以下の式（７）に示した解が得られる。
【０１３３】
Ｎ（ｔ）＝Ｎ0ｅｘｐ（−λｔ）  ・・・（７）
【０１３４】
上記の式（７）は、すなわち、時間の経過に応じた発色分子数の変化を示す式である。ここで、時刻ｔにおいてＮ0に対するＮ（ｔ）の比は、前述の退色率に相当する。そこで、時刻ｔにおける第１材料の退色率Ｙ1（ｔ）と、時刻ｔにおける第２材料の退色率Ｙ2（ｔ）とは、以下に示した式（８）、式（９）のようになる。
【０１３５】
Ｙ1（ｔ）＝ｅｘｐ（−λ1ｔ）  ・・・（８）
Ｙ2（ｔ）＝ｅｘｐ（−λ2ｔ）  ・・・（９）
【０１３６】
λ1は、ある環境温度に曝された場合における第１材料の退色定数である。また、λ2は、当該環境温度に曝された場合における第２材料の退色定数である。Ｙ1（ｔ）及びＹ2（ｔ）のそれぞれは、例えば、上記において説明したステップＳ１１０〜ステップＳ１４０の処理によって算出可能である。そこで、複数の環境温度のそれぞれについて、Ｙ1（ｔ）及びＹ2（ｔ）のそれぞれを算出しておく。
【０１３７】
また、第１材料の退色半減期ｔ1(1/2)は、上記の式（７）に基づいて、以下の式（１０）のようになる。第１材料の退色半減期ｔ1(1/2)は、時刻ｔ＝０から、時刻ｔ＝０における第１材料の発色分子の数が半減する時刻までの時間のことである。また、第２材料の退色半減期ｔ2(1/2)は、上記の式（７）に基づいて、以下の式（１１）のようになる。第２材料の退色半減期ｔ2(1/2)は、時刻ｔ＝０から、時刻ｔ＝０における第２材料の発色分子の数が半減する時刻までの時間のことである。
【０１３８】
ｔ1(1/2)＝ｌｎ（２）／λ1  ・・・（１０）
ｔ2(1/2)＝ｌｎ（２）／λ2  ・・・（１１）
【０１３９】
退色定数λ１及び退色定数λ２を決めることより、上記の式（１０）及び式（１１）から、第１材料の退色半減期ｔ1(1/2)と、第２材料の退色半減期ｔ2(1/2)とを算出することができる。ここで、退色定数λ１及び退色定数λ２のそれぞれは、環境温度に応じて変化する。そこで、上記の式（１０）及び式（１１）に基づいて、前述の複数の環境温度のそれぞれにおける第１材料の退色半減期ｔ1(1/2)、第２材料の退色半減期ｔ2(1/2)、第１材料の退色半減期ｔ1(1/2)に対する第２材料の退色半減期ｔ2(1/2)の比ｔ2(1/2)／ｔ1(1/2)を算出する。そして、算出した第１材料の退色半減期ｔ1(1/2)のそれぞれに基づくフィッティングにより、環境温度の変化に対する退色半減期ｔ1(1/2)の変化を示す第１式を算出する。また、算出した第２材料の退色半減期ｔ2(1/2)のそれぞれに基づくフィッティングにより、環境温度の変化に対する退色半減期ｔ2(1/2)の変化を示す第２式を算出する。また、算出した第１材料の退色半減期ｔ1(1/2)のそれぞれに基づくフィッティングにより、環境温度の変化に対する比ｔ2(1/2)／ｔ1(1/2)の変化を示す第３式を算出する。
【０１４０】
ここで、以下に示した式（１２）に基づいて、事前に算出しておいた退色率Ｙ1（ｔ）のそれぞれが、第１材料の退色半減期を何度繰り返すことによって実現するかを算出する。
【０１４１】
Ｙ1（ｔ）＝（１／２）M1  ・・・（１２）
【０１４２】
Ｍ１は、退色半減期が繰り返された回数を示す。
【０１４３】
また、以下に示した式（１３）に基づいて、事前に算出しておいた退色率Ｙ2（ｔ）のそれぞれが、第２材料の退色半減期を何度繰り返すことによって実現するかを算出する。
【０１４４】
Ｙ2（ｔ）＝（１／２）M2  ・・・（１２）
【０１４５】
Ｍ２は、退色半減期が繰り返された回数を示す。
【０１４６】
ここで、第１材料の退色率がＹ1（ｔ）となるまでの経過時間は、第２材料の退色率がＹ2（ｔ）となるまでの経過時間と同じであるため、以下に示した式（１３）が成り立つ。
【０１４７】
ｔ1(1/2)Ｍ１＝ｔ2(1/2)Ｍ２  ・・・（１３）
【０１４８】
上記の式（１３）から、以下に示した式（１４）が得られる。
【０１４９】
ｔ1(1/2)／ｔ2(1/2)＝Ｍ２／Ｍ１  ・・・（１４）
【０１５０】
すなわち、第２材料の退色半減期ｔ2(1/2)に対する第１材料の退色半減期ｔ1(1/2)の比は、式（１４）と、上記において算出した回数Ｍ１及び回数Ｍ２とに基づいて算出することができる。そして、算出した当該比と、事前に算出しておいた第３式とに基づいて、第１材料及び第２材料が曝されていた環境の環境温度を特定（推定）することができる。
【０１５１】
環境温度を特定した後、特定した環境温度を第１式及び第２式のそれぞれに代入することによって、第１材料の退色半減期ｔ1(1/2)と、第２材料の退色半減期ｔ1(1/2)とのそれぞれを算出することができる。そして、算出した退色半減期ｔ1(1/2)に回数Ｍ１を乗じることにより（又は、算出した退色半減期ｔ2(1/2)に回数Ｍ２を乗じることにより）、経過時間を算出することができる。
【０１５２】
以上のような方法により、実施形態の変形例１に係る読取処理装置３０は、表示デバイス２０が予め決められた環境温度の環境に暴露され始めてからの経過時間と、当該環境温度とを推定する。
【０１５３】
なお、フォトクロミック材料が３種類以上存在する場合、読取処理装置３０は、例えば、３種類以上のフォトクロミック材料の中から２種類選んで得られる組み合わせを全て特定し、特定した組合せ毎に、上記の方法に基づいて経過時間と環境温度とを算出する。そして、読取処理装置３０は、算出した複数の経過時間の平均値を、表示デバイス２０が予め決められた環境温度の環境に暴露され始めてからの経過時間として算出する。また、読取処理装置３０は、算出した複数の環境温度の平均値を、当該環境の環境温度として算出する。
【０１５４】
＜実施形態の変形例２＞
以下、実施形態の変形例２について説明する。なお、実施形態の変形例２では、実施形態と同様な構成部に対して同じ符号を付して説明を省略する。
【０１５５】
実施形態の変形例２に係る表示デバイス２０は、図１０に示したように、第１色表示部２１及び第２色表示部２２に加えて、前述の基準色を示す情報を表示する基準色情報表示部２３が設けられている。
【０１５６】
図１０は、実施形態の変形例２に係る表示デバイス２０の一例を示す図である。図１０に示した例では、基準色を示す情報は、基準色そのものである。すなわち、基準色情報表示部２３の表示面には、基準色の材料が塗布されている。当該材料は、時間の経過とともに色が退色しない（又はほぼ退色しない）材料であれば、如何なる材料であってもよい。
【０１５７】
表示デバイス２０に基準色情報表示部２３が設けられている場合、ステップＳ１４０における読取処理装置３０は、ステップＳ１２０において取得部３１２が取得した撮像画像に含まれる領域のうち、基準色情報表示部２３に対応する領域内の色を、基準色として検出する。そして、読取処理装置３０は、検出した基準色を用いて、第１値及び第２値を算出する。
【０１５８】
なお、基準色を示す情報は、基準色そのものに代えて、基準色を示すマーカー、図形、文字、数値等の基準色を示す他の情報であってもよい。例えば、基準色を示す情報が当該マーカーである場合、読取処理装置３０は、ステップＳ１２０において取得部３１２が取得した撮像画像に基づいて、パターンマッチング等の処理によって当該マーカーを検出する。読取処理装置３０は、検出したマーカーに対応付けられた色を示す情報を、記憶部３２から読み出す。この場合、当該情報は、記憶部３２に予め記憶されている。そして、読取処理装置３０は、記憶部３２から読み出した情報が示す色を、基準色として特定する。
【０１５９】
また、表示デバイス２０には、更に、色の校正に用いる情報を表示する表示部が設けられている構成であってもよい。当該情報は、例えば、所定の色そのものである。所定の色は、如何なる色であってもよい。表示デバイス２０に当該表示部が設けられている場合、読取処理装置３０は、ステップＳ１２０において取得部３１２が取得した撮像画像に含まれる領域のうち、当該表示部に対応する領域内の色を検出する。そして、読取処理装置３０は、記憶部３２に予め記憶された情報のうち当該所定の色を示す情報を記憶部３２から読み出し、検出した色を、読み出した情報が示す色へと補正する補正量を算出する。読取処理装置３０は、算出した補正量に基づいて、撮像画像Ｐ２（すなわち、撮像画像Ｐ１）が撮像されたタイミングにおける第１領域の色Ｆ１を補正するとともに、当該タイミングにおける第２領域の色Ｆ２を補正する。これにより、表示デバイス２０は、撮像条件に基づく誤差を小さくすることができる。
【０１６０】
＜実施形態の変形例３＞
以下、図１１を参照し、実施形態の変形例３について説明する。なお、実施形態の変形例３では、実施形態と同様な構成部に対して同じ符号を付して説明を省略する。
【０１６１】
図１１は、実施形態の変形例３に係る読取処理システム１の構成の一例を示す図である。実施形態の変形例３に係る読取処理システム１は、図１１に示したように、表示デバイス２０と、照明装置ＵＶＬと、撮像装置２５と、読取処理装置３０とに加えて、ネットワークＮを介して読取処理装置３０と通信可能に接続されたサーバー装置４０を備える。
【０１６２】
ネットワークＮは、ＬＡＮ（Local  Area  Network）、ＷＡＮ（Wide  Area  Network）、インターネット、携帯電話通信網等である。
【０１６３】
実施形態の変形例３に係る読取処理装置３０の制御部３１０は、撮像制御部３１１と、取得部３１２と、表示制御部３１６を備える。すなわち、当該変形例３では、読取処理装置３０は、撮像装置２５が撮像可能な範囲を撮像装置２５に撮像させ、撮像装置２５が撮像した撮像画像を撮像装置２５から取得する。そして、読取処理装置３０は、取得した撮像画像をサーバー装置４０に出力する。
【０１６４】
サーバー装置４０は、取得部４１と、前述の算出部３１４と、前述の推定部３１５と、通信部４２を備える。
【０１６５】
取得部４１は、読取処理装置３０から撮像画像を取得する。なお、取得部４１は、サーバー装置が備える取得部の一例である。
【０１６６】
通信部４２は、推定部３１５により推定された経過時間を示す経過時間情報を読取処理装置３０に出力する。また、通信部４２は、推定部３１５により推定された環境温度を示す環境温度情報を読取処理装置３０に出力する。
【０１６７】
サーバー装置４０は、読取処理装置３０から取得した撮像画像に基づいて、表示デバイス２０が予め決められた環境温度の環境に暴露され始めてからの経過時間とともに、当該環境温度を推定する。サーバー装置４０は、推定した当該経過時間を示す経過時間情報と当該環境温度を示す環境温度情報とのそれぞれを、読取処理装置３０に出力する。そして、読取処理装置３０は、サーバー装置４０から経過時間情報及び環境温度情報を取得し、取得した経過時間情報が示す経過時間及び環境温度情報が示す環境温度を表示部３５に表示させる。
【０１６８】
以上説明したように、本実施形態における読取処理装置（この一例において、読取処理装置３０）は、２つ以上の色表示部（この一例において、第１色表示部２１と第２色表示部２２）が設けられた表示デバイス（この一例において、表示デバイス２０）が撮像された撮像画像を取得する取得部（この一例において、取得部３１２）と、取得部により取得された撮像画像に基づいて、表示デバイスが予め決められた環境温度の環境に暴露され始めてからの経過時間を推定する推定部（この一例において、推定部３１５）と、を備える。また、当該２つ以上の色表示部それぞれの色は、予め決められた波長帯の光が照射された場合、周囲の温度に応じて互いに異なる退色速度によって時間の経過とともに退色する。これにより、読取処理装置は、対象物が曝され始めてからの経過時間を精度良く推定することができる。
【０１６９】
また、読取処理装置では、推定部は、取得部により取得された撮像画像に基づいて、表示デバイスが予め決められた環境温度の環境に暴露され始めてからの経過時間とともに、当該環境温度を推定する、構成が用いられてもよい。
【０１７０】
また、読取処理装置では、２つ以上の色表示部には、第１色表示部（この一例において、第１色表示部２１）と、第１色表示部と異なる第２色表示部（この一例において、第２色表示部２２）とが含まれており、取得部により取得された撮像画像に基づいて、第１色表示部の色に基づく値を第１値として算出するとともに、第２色表示部の色に基づく値を第２値として算出する算出部（この一例において、算出部３１４）を更に備え、推定部は、算出部により算出された第１値及び第２値に基づいて、表示デバイスが予め決められた環境温度の環境に暴露され始めてからの経過時間及び当該環境温度を推定する、構成が用いられてもよい。
【０１７１】
また、読取処理装置では、算出部は、取得部により取得された撮像画像に基づいて、第１色表示部の色の退色率を第１値として算出するとともに、第２色表示部の色の退色率を第２値として算出する、構成が用いられてもよい。
【０１７２】
また、読取処理装置では、算出部は、取得部により取得された撮像画像に基づいて、第１色表示部の色と基準色との間の色差を第１色差（この一例において、第１色差Ａ１）として算出し、第２色表示部の色と基準色との間の色差を第２色差（この一例において、第２色差Ｂ１）として算出し、算出した第１色差に基づいて第１色表示部の色の退色率として算出し、算出した第２色差に基づいて第２色表示部の色の退色率として算出する、構成が用いられてもよい。
【０１７３】
また、読取処理装置では、基準色を示す基準色情報（この一例において、第０基準色情報）を記憶する記憶部（この一例において、記憶部３２）を更に備え、算出部は、記憶部から基準色情報を読み出し、読み出した基準色情報に基づいて、第１色表示部の色の退色率と第２色表示部の色の退色率とを算出する、構成が用いられてもよい。
【０１７４】
また、読取処理装置では、表示デバイスには、基準色を表示する基準色表示部（この一例において、基準色情報表示部２３）が設けられており、算出部は、取得部により取得された撮像画像に基づいて、基準色情報に表示された基準色を検出する、構成が用いられてもよい。
【０１７５】
また、読取処理装置では、推定部は、算出部により算出された第１値及び第２値と、第１対応情報及び第２対応情報とに基づいて、表示デバイスが予め決められた環境温度の環境に暴露され始めてからの経過時間とともに当該環境温度を推定し、第１対応情報は、第１値を示す第１値情報と、環境温度を示す環境温度情報と、経過時間を示す経過時間情報と、第１値情報毎に環境温度情報と経過時間情報とを対応づける情報とを含み、第２対応情報は、第２値を示す第２値情報と、環境温度を示す環境温度情報と、経過時間を示す経過時間情報と、第２値情報毎に環境温度情報と経過時間情報とを対応づける情報とを含む、構成が用いられてもよい。
【０１７６】
また、読取処理装置では、第１対応情報は、第１値毎に環境温度と経過時間とを対応づけたテーブルであり、第２対応情報は、第２値毎に環境温度と経過時間とを対応づけたテーブルである、構成が用いられてもよい。
【０１７７】
また、読取処理装置では、第１対応情報は、第１値と環境温度と経過時間との依存関係を示す関数であり、第２対応情報は、第２値と環境温度と経過時間との依存関係を示す関数である、構成が用いられてもよい。
【０１７８】
また、サーバー装置（この一例において、サーバー装置４０）は、２つ以上の色表示部が設けられた表示デバイスが撮像された撮像画像を読取処理装置から取得する取得部（この一例において、取得部４１）と、取得部により取得された撮像画像に基づいて、表示デバイスが予め決められた環境温度の環境に暴露され始めてからの経過時間を推定する推定部（この一例において、推定部３１５）と、推定部により推定された経過時間を示す経過時間情報を読取処理装置に出力する通信部（この一例において、通信部４２）と、を備える。また、当該２つ以上の色表示部それぞれの色は、予め決められた波長帯の光が照射された場合、周囲の温度に応じて互いに異なる退色速度によって時間の経過とともに退色する。
【０１７９】
以上、この発明の実施形態を、図面を参照して詳述してきたが、具体的な構成はこの実施形態に限られるものではなく、この発明の要旨を逸脱しない限り、変更、置換、削除等されてもよい。
【０１８０】
また、以上に説明した装置（例えば、読取処理装置３０、サーバー装置４０等）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【０１８１】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１８２】
１…読取処理システム、２０…表示デバイス、２０Ａ…基材シート、２１…第１色表示部、２２…第２色表示部、２３…基準色情報表示部、２５…撮像装置、３０…読取処理装置、３２…記憶部、３３…入力受付部、３４…通信部、３５…表示部、３６…拡張スロット、３７…マイク、３８…外部接続端子、３９…スピーカー、４０…サーバー装置、４１…取得部、４２…通信部、３１０…制御部、３１１…撮像制御部、３１２…取得部、３１３…変換部、３１４…算出部、３１５…推定部、３１６…表示制御部、Ｎ…ネットワーク、ＵＶＬ…照明装置
【図１】
2019207179.tif 000004
【図２】
2019207179.tif 000005
【図３】
2019207179.tif 000006
【図４】
2019207179.tif 000007
【図５】
2019207179.tif 000008
【図６】
2019207179.tif 000009
【図７】
2019207179.tif 000010
【図８】
2019207179.tif 000011
【図９】
2019207179.tif 000012
【図１０】
2019207179.tif 000013
【図１１】
2019207179.tif 000014